(57)【要約】【課題】人体の垢や皮脂及び泥、カーボンといった、リントより微細で異種の汚れを効果的に捕獲できるようにする。【解決手段】ドラム８の内周側面部に配設するバッフル９を中空状に形成すると共に、該バッフル９の内部にそれをドラム８回転方向のほゞ中央部で２室９ｊ，９ｋに仕切る仕切部９ｂを設け、且つ、その両室９ｊ，９ｋについて、ドラム８回転の正方向Ａ側の部位と逆方向Ｂ側の部位とにそれぞれ入水口９ｌ，９ｍを形成し、それらよりそれぞれ仕切部９ｂ側であって且つドラム８の中心側の部位に出水口９ｎ，９ｏを形成して、両室９ｊ，９ｋに、その各室９ｊ，９ｋの形状及び大きさに合わせて不織布により断面Ｌ字状に成形したフィルタ１０，１１を出し入れ可能に収納した。これにより、人体の垢や皮脂及び泥、カーボンといった、リントより微細で異種の汚れを効果的に捕獲することができる。【選択図】図１
2011078483.tif 000002
【特許請求の範囲】
【請求項１】
外箱と、
この外箱の内部に横軸状態に配設されたドラムと、
このドラムを横軸で正逆両方向に回転駆動する駆動装置と、
前記ドラムの内周側面部に配設された洗濯物掻き上げ用のバッフルとを具備し、
そのバッフルを中空状に形成すると共に、
該バッフルの内部にそれを前記ドラム回転方向のほゞ中央部で２室に仕切る仕切部を設け、且つ、その両室について、前記ドラム回転の正方向側の部位と逆方向側の部位とにそれぞれ入水口を形成し、それらよりそれぞれ前記仕切部側であって且つ前記ドラムの中心側の部位に出水口を形成して、
前記両室に、その各室の形状及び大きさに合わせて不織布により断面Ｌ字状に成形したフィルタを出し入れ可能に収納して成ることを特徴とするドラム式洗濯機。
【請求項２】
フィルタ材料の不織布を、親油性を有するものとしたことを特徴とする請求項１記載のドラム式洗濯機。
【請求項３】
バッフルのドラム中心側の部分に、それより更にドラム中心側に突出する突部を仕切部に沿って有することを特徴とする請求項１又は２記載のドラム式洗濯機。
【発明の詳細な説明】
【技術分野】
【０００１】
本発明は、洗濯中に洗濯物から出る汚れを捕獲する機能を有するドラム式洗濯機に関する。
【背景技術】
【０００２】
従来より、洗濯機においては、洗濯物を洗濯することに伴って、洗濯物から人体より付着した垢や皮脂及び泥、カーボンといった汚れが出る。この汚れは、洗濯水中に浮遊して洗濯物に再付着しやすく、再付着すれば洗濯効果を損ねてしまう。
特にドラム式の洗濯機においては、ドラムの内底部に少量の洗濯水を貯留し、この洗濯水にドラムの回転によって洗濯物を繰り返し上方より落とすたたき洗いをするようになっており、その洗濯水の少なさゆえに、洗濯水に含まれる汚れの濃度が高くなり、洗濯物への汚れの再付着が顕著になって、洗濯効果を一段と損ねやすい。それどころか、洗濯物の洗濯を重ねることで、洗濯物が徐々に黒ずんでしまうことすらあった。
【０００３】
これに対して、特許文献１には、ドラムの内周側面部に設けるバッフルを中空状に形成すると共に、その内部をドラムの回転方向で２室に仕切る仕切部を設け、ドラムにはバッフルの上記２室にそれぞれ臨む入水口を形成し、バッフルのドラム中心側である頂部に網目状のフィルタを設けて、ドラムの正逆両方向の回転に伴い、それぞれ、ドラムと水槽との間の洗濯水を、上記各入水口からバッフルの内部に取り込んで上記フィルタを通しドラム内に流出させることにより、洗濯物から出て洗濯水に含まれたリント（糸くず）を捕獲するようにしたものが記載されている。
【０００４】
又、特許文献２には、同じくドラムの内周側面部に設けるバッフルを中空状に形成すると共に、このバッフルのドラム回転方向に臨む両側部にそれぞれ入水口を形成し、バッフルの頂部に網目状のフィルタを設けて、ドラムの正逆両方向の回転に伴い、それぞれ、ドラム内の洗濯水を、上記各入水口からバッフルの内部に取り込んで上記フィルタを通しドラム内に流出させることにより、やはり、洗濯物から出て洗濯水に含まれたリントを捕獲するようにしたものが記載されている。
【先行技術文献】
【特許文献】
【０００５】
【特許文献１】実開平４−９３０８６号公報
【特許文献２】特開平８−４７５９３号公報
【発明の概要】
【発明が解決しようとする課題】
【０００６】
しかしながら、上記特許文献１，２に記載のものは、ネット（網目状のフィルタ）を用いて、洗濯物から出るリント（糸くず）を捕獲するものであり、洗濯物から出る人体の垢や皮脂及び泥、カーボンといった、リントより微細で異種の汚れについては、それをフィルタが通過させてしまって捕獲できるものではない。すなわち、上記特許文献１，２に記載のものは、人体の垢や皮脂及び泥、カーボンといった、リントより微細で異種の汚れを意識したものではなく、それを捕獲する発想を有してはいない。
【０００７】
本発明は上述の事情に鑑みてなされたものであり、従ってその目的は、人体の垢や皮脂及び泥、カーボンといった、リントより微細で異種の汚れを効果的に捕獲できるドラム式洗濯機を提供するにある。
【課題を解決するための手段】
【０００８】
上記目的を達成するために、本発明のドラム式洗濯機においては、外箱と、この外箱の内部に横軸状態に配設されたドラムと、このドラムを横軸で正逆両方向に回転駆動する駆動装置と、前記ドラムの内周側面部に配設された洗濯物掻き上げ用のバッフルとを具備し、そのバッフルを中空状に形成すると共に、該バッフルの内部にそれを前記ドラム回転方向のほゞ中央部で２室に仕切る仕切部を設け、且つ、その両室について、前記ドラム回転の正方向側の部位と逆方向側の部位とにそれぞれ入水口を形成し、それらよりそれぞれ前記仕切部側であって且つ前記ドラムの中心側の部位に出水口を形成して、前記両室に、その各室の形状及び大きさに合わせて不織布により断面Ｌ字状に成形したフィルタを出し入れ可能に収納して成ることを特徴とする（請求項１の発明）。
【発明の効果】
【０００９】
上記手段によれば、ドラムの回転に伴い、ドラム内の洗濯水が、バッフルの入水口からバッフル内に流入し、バッフル内のフィルタを通って、出水口からドラム内に流出する。このとき、フィルタは不織布から成るので、フィルタとしての目が微細で、様々な大きさ、形で有り、それによって、人体の垢や皮脂及び泥、カーボンといった、リントより微細で異種の汚れを効果的に捕獲することができる。
【００１０】
又、その場合、バッフル内は２室に仕切られ、その各室にドラム回転の正方向と逆方向とで反対の流れで洗濯水が流入し、それが仕切部で仕切られて各室のドラム中心側にある出水口から流出するもので、それぞれ隣室に逆流の流れで流入することが避けられる。それにより、隣室で捕獲した汚れを逆流水で脱離させることが回避され、これによっても汚れを効果的に捕獲することができる。
【００１１】
更に、フィルタはバッフルの各室の形状及び大きさに合わせて断面Ｌ字状に成形した成形品であり、各室がその成形したフィルタで満たされるから、洗濯水は上記入水口からそれぞれバッフル内に入って出水口からドラム内に流出するまでの間、フィルタを通り続けて汚れが捕獲されるので、これによっても汚れを効果的に捕獲することができる。
【００１２】
加えて、その成形品であるフィルタは、非成形品のようには散乱することがなくて扱いやすく、バッフルの各室に対して出し入れするのも容易にできる。又、この成形品であるフィルタは、バッフルから取り出した状態で、所望に揉み洗いすることができ、よって捕獲した汚れの除去、すなわち、フィルタの再生も容易にできる。
更に、フィルタをバッフルの各室に対して出し入れするとき、バッフルの仕切部はバッフルの各室に対するフィルタの分け入れのガイドともなり、その分け入れをしやすくするのに効果を奏する。
【図面の簡単な説明】
【００１３】
【図１】本発明の一実施例を示す主要部分の縦断面図
【図２】洗濯機全体の斜視図
【図３】バッフル単体の斜視図
【図４】バッフルとフィルタの分解斜視図
【発明を実施するための形態】
【００１４】
以下、本発明の一実施例（一実施形態）につき、図面を参照して説明する。
まず、図２には、ドラム式洗濯機１の外観を、扉２を開放した状態で示しており、その扉２が開閉する洗濯物出入口３を外箱４の前面部に有している。外箱４の前面部には、そのほか、洗剤投入ケース５や、操作パネル６、及び扉開放用押ボタン７を有している。
【００１５】
外箱４の内部には、図示しない水槽を配設し、その水槽の内部にドラム８を配設している。これらの水槽及びドラム８は、詳細には、軸方向が前後の横軸状態で前上がりの傾斜状に配設しており、水槽は外箱４の底板上に複数のサスペンション（これも図示せず）によって弾性支持し、ドラム８は背面部の中心部に有する軸を水槽の奥部で支持させている。
水槽の背部にはモータ（これも図示せず）を取付けており、このモータは、上記ドラム８をこれの軸を横軸状に介して正逆両方向に回転駆動する駆動装置として機能するようになっている。
【００１６】
ドラム８の内周側面部にはバッフル９を配設している。このバッフル９は上記ドラム８の回転に伴って洗濯物（これも図示せず）を掻き上げるもので、ドラム８の内周側面部に複数個（例えば３個）を均等間隔置きに配設している（１個のみ図示）。
図１、図３、図４はバッフル９の一つを拡大して表しており、これらの図に示すように、バッフル９は、断面形が凸形で中空状を成しており、詳細には、底部９ａと、仕切部９ｂ、前部９ｃ、及び後部９ｄとを一体に形成し、その前部９ｃ及び後部９ｄに一側部９ｅ、他側部９ｆを軸９ｇにより開閉可能に枢着したものである。
【００１７】
このバッフル９にあって、一側部９ｅは、複数個の係合部であるフック９ｈをたわませて仕切部９ｂの先端縁部に係合させることにより、閉鎖状態に保持されるようになっている。又、他側部９ｆは、その仕切部９ｂの先端縁部に係合させたフック９ｈにより同時に自由端縁部が押えられることにより、同じく閉鎖状態に保持されるようになっており、バッフル９は、そのように一側部９ｅ及び他側部９ｆを閉鎖状態に保持した状態で、上述の、断面形が凸形で中空状、そしてドラム８の内周側面部の軸方向ほゞ全長にわたる長尺状を成すようになっている。
【００１８】
更に、一側部９ｅ及び他側部９ｆを上述の閉鎖状態に保持した状態で、仕切部９ｂの先端縁部はそれらの一側部９ｅ及び他側部９ｆよりもドラム８の中心側に突出するようになっており、かくして、バッフル９のドラム８中心側の部分に、それより更にドラム８の中心側に突出する突部９ｉを、仕切部９ｂに沿って有する構成としている。又、仕切部９ｂは、バッフル９の内部をドラム８の回転方向（図１で反時計回りの正方向Ａ、時計回りの逆方向Ｂ）のほゞ中央部で２室９ｊ，９ｋに仕切るようになっている。
【００１９】
そして、上記両室９ｊ，９ｋについて、ドラム８回転の正方向Ａ側の部位である一側部９ｅのドラム８周壁側部分（図１で下部）と、逆方向Ｂ側の部位である他側部９ｆのドラム８周壁側部分（同じく図１で下部）には、それぞれ前後に延びる長孔状の入水口９ｌ，９ｍを複数個形成している。又、それらの入水口９ｌ，９ｍよりそれぞれ仕切部９ｂ側であって且つドラム８の中心側の部位である一側部９ｅのドラム８中心側部分（図１で上部）及び他側部９ｆのドラム８中心側部分（同じく図１で上部）には、同じくそれぞれ前後に延びる長孔状の出水口９ｎ，９ｏを複数個形成している。
【００２０】
更に、それらの入水口９ｌ，９ｍと出水口９ｎ，９ｏには、それぞれ内側にストレーナであるネット９ｐを張設しており、又、両室９ｊ，９ｋには、その各室９ｊ，９ｋの形状及び大きさに合わせて不織布により断面Ｌ字状に成形したフィルタ１０，１１を出し入れ可能に収納している。ここで、フィルタ１０，１１の材料である不織布については、それをポリプロピレン繊維やカポック繊維等の親油性を有するものとしている。
【００２１】
次に、上記構成のものの作用、効果を述べる。
洗濯時には、ドラム８が図示しないモータにより前記正方向Ａと逆方向Ｂとに交互に回転駆動される。このようにドラム８が回転されるとき、ドラム８内では、それぞれ、バッフル９が洗濯物を回転方向に掻き上げ、それによって洗濯物を繰り返し上方より落とすたたき洗いが実行される。
【００２２】
そして又、そのとき、ドラム８の回転に伴い、ドラム８内の洗濯水が、図１に水流Ａ´及び水流Ｂ´で示すように、バッフル９の入水口９ｌ，９ｍからバッフル９内に流入し、バッフル９内のフィルタ１０，１１を通って、出水口９ｎ，９ｏからドラム８内に流出する。このとき、フィルタ１０は不織布から成るので、目が微細で、様々な大きさ、形で有り、それによって、洗濯物から脱離して洗濯水に含まれた人体の垢や皮脂及び泥、カーボンといった、リントより微細で異種の汚れを効果的に捕獲する。
【００２３】
又、その場合、バッフル９内は２室９ｊ，９ｋに仕切られ、その各室９ｊ，９ｋにドラム８回転の正方向Ａと逆方向Ｂとで反対の流れで洗濯水が流入し、それが仕切部９ｂで仕切られて各室９ｊ，９ｋのドラム８中心側にある出水口９ｎ，９ｏから流出するもので、それぞれ隣室に逆流の流れで流入することが避けられる。それにより、隣室で捕獲した汚れを逆流水で脱離させることが回避され、これによっても汚れを効果的に捕獲する。
【００２４】
更に、フィルタ１０，１１はバッフル９の各室９ｊ，９ｋの形状及び大きさに合わせて断面Ｌ字状に成形した成形品であり、各室９ｊ，９ｋがその成形したフィルタ１０，１１で満たされているから、洗濯水は上記入水口９ｌ，９ｍからそれぞれバッフル９内に入って出水口９ｎ，９ｏからドラム８内に流出するまでの間、フィルタ１０，１１を通り続けて汚れが捕獲されるので、これによっても汚れを効果的に捕獲する。
【００２５】
加えて、この成形品であるフィルタ１０，１１は、非成形品のようには散乱することがなくて扱いやすく、バッフル９の一側部９ｅと他側部９ｆとを図４に示したように開いて、フィルタ１０，１１を各室９ｊ，９ｋに対して出し入れするのも容易にできる。又、この成形品であるフィルタ１０，１１は、各室９ｊ，９ｋから取り出した状態で、所望に揉み洗いすることができ、よって捕獲した汚れの除去、すなわち、フィルタ１０，１１の再生も容易にできる。
【００２６】
更に、フィルタ１０，１１をバッフル９の各室９ｊ，９ｋに対して出し入れするとき、バッフル９の仕切部９ｂはバッフル９の各室９ｊ，９ｋに対するフィルタ１０，１１の分け入れのガイドともなり、その分け入れをしやすくするのに効果を奏する。
なお、バッフル９の入水口９ｌ，９ｍと出水口９ｎ，９ｏには、それぞれネット９ｐを張設したことにより、洗濯物のボタンやホックといった突起物がバッフル９内に入り込むのを阻止でき、しかも、洗濯水に含まれるリントを捕獲することもネット９ｐでできるし、更には、各室９ｊ，９ｋにフィルタ１０，１１を収納したか否かの確認もネット９ｐを通してできる。
【００２７】
更に、上記構成のものの場合には、フィルタ１０，１１材料の不織布を、親油性を有するものとしている。洗濯物から脱離して洗濯水に含まれた人体の垢や皮脂といった汚れは油分を含む汚れであり、それら以外の泥、カーボンといった汚れも人体から脱離した垢や皮脂と混在していることが多いから、油分を含む汚れである。このような油分を含む汚れに対して、フィルタ１０，１１材料の不織布を、親油性を有するものとしたことにより、それらの油の吸着性が良く、効果的に捕獲することができる。
【００２８】
又、バッフル９のドラム８中心側の部分には、それより更にドラム８の中心側に突出する突部９ｉを仕切部９ｂに沿って有している。これにより、バッフル９の各室９ｊ，９ｋを通って出水口９ｎ，９ｏから流出した洗濯水が、それぞれ隣室からより遠くのドラム８中心側に導かれ、その隣室に逆流の流れで流入することが一段と確実に避けられるので、隣室で捕獲した汚れを逆流水で脱離させることも一段と確実に回避され、汚れを更に効果的に捕獲することができる。
なお、本発明は上記し且つ図面に示した実施例にのみ限定されるものではなく、要旨を逸脱しない範囲内で適宜変更して実施し得る。
【符号の説明】
【００２９】
図面中、４は外箱、８はドラム、９はバッフル、９ｂは仕切部、９ｉは突部、９ｊ，９ｋは室、９ｌ，９ｍは入水口、９ｎ，９ｏは出水口、１０，１１はフィルタを示す。
【図１】
2011078483.tif 000003
【図２】
2011078483.tif 000004
【図３】
2011078483.tif 000005
【図４】
2011078483.tif 000006